(57)【要約】【課題】サーマルヘッドの位置調整作業が不要なレコーダーを提供すること。【解決手段】本発明のレコーダーは、サーマルヘッド１２０と、サーマルヘッド１２０との間に連続紙である記録紙を挟持して紙送りするプラテンローラーと、プラテンローラーを案内し位置決めするプラテンローラー案内板１２１と、プラテンローラー案内板１２１に形成された嵌合凸部３０１ａ、３０１ｂと、サーマルヘッド１２０に形成され嵌合凸部３０１ａ、３０１ｂに嵌合する嵌合凹部４２１ａ、４２１ｂと、を有する。【選択図】図１０
2020075460.tif 000002
【特許請求の範囲】
【請求項１】
サーマルヘッドと、
前記サーマルヘッドとの間に連続紙である記録紙を挟持して紙送りするプラテンローラーと、
前記プラテンローラーを案内し位置決めするプラテンローラー案内板と、
前記プラテンローラー案内板に形成された嵌合凸部又は嵌合凹部と、
前記サーマルヘッドに形成され、前記嵌合凸部又は嵌合凹部に嵌合する嵌合凹部又は嵌合凸部と、
を具備するレコーダー。
【請求項２】
前記嵌合凸部と前記嵌合凹部は、嵌合させたときに、前記サーマルヘッドの発熱体のライン方向に直交する方向の隙間が、前記ライン方向に平行な方向の隙間より小さくなるように形成されている、
請求項１に記載のレコーダー。
【請求項３】
前記サーマルヘッドは、放熱板を有し、
前記嵌合凹部又は嵌合凸部は、前記放熱板に形成されている、
請求項１又は２に記載のレコーダー。
【請求項４】
前記プラテンローラー案内板への前記サーマルヘッドの固定は、前記嵌合凹部と前記嵌合凸部によって位置決めされ、さらに締結具によって締結されることにより実現される、
請求項１から３のいずれか一項に記載のレコーダー。
【請求項５】
前記嵌合凸部は、平面円形形状であり、
前記嵌合凹部は、前記サーマルヘッドの発熱体のライン方向に直交する方向の幅が前記嵌合凸部に等しく、前記ライン方向に平行な方向の幅が前記嵌合凸部よりも長い、平面横長形状である、
請求項１から４のいずれか一項に記載のレコーダー。
【請求項６】
前記プラテンローラー案内板は、前記放熱板よりも強度が高く、
前記プラテンローラー案内板には前記嵌合凸部が形成され、かつ、前記放熱板には前記嵌合凹部が形成され、
請求項３に記載のレコーダー。
【請求項７】
前記記録紙は、前記レコーダーによるグリッド線がある、
請求項１から６のいずれか一項に記載のレコーダー。
【発明の詳細な説明】
【技術分野】
【０００１】
本発明は、サーマルヘッドを用いて折畳紙やロール紙等の連続紙に感熱記録を行うレコーダーに関する。
【背景技術】
【０００２】
従来、例えば心電計においては、心電図の測定や表示を行う装置本体にレコーダーが一体に設けられ、測定結果を記録紙に記録できるようになされたものがある（例えば特許文献１参照）。心電計のレコーダー（以下、単にレコーダーと呼ぶ）には、通常、記録紙として折畳紙やロール紙等の連続紙が用いられている。また、心電計では、一般に装置の構成を簡単化・小型化するために、サーマルヘッドを用いた感熱記録方式が採用されている。
【先行技術文献】
【特許文献】
【０００３】
【特許文献１】特開２０１５−１１０４６７号公報
【発明の概要】
【発明が解決しようとする課題】
【０００４】
ところで、この種のレコーダーにおいては、サーマルヘッドとプラテンローラーとの相対位置が正しい位置からずれていると、それに伴って印字点もずれるので、結果として位相ずれや印字カスレといった不都合が生じる。位相ずれとは、記録紙の縦方向に並んだ心電波形の位置が横方向にずれてしまった状態である。位相ずれが生じると、正しい診断ができなくなるおそれがある。
【０００５】
図１Ａは正しく印字された印字結果の例を示し、図１Ｂは正しく印字されなかった印字結果の例を示す。図から分かるように、正しい印字とは、記録紙の縦方向に同時点の波形が印字された状態である。
【０００６】
上述したようにサーマルヘッドとプラテンローラーとの相対位置が正しい位置からずれていると、それが図１Ｂのような位相ずれのある印字結果の原因となる。白地の記録紙に心電波形とともにグリッド線も印字する場合には、心電波形と等しい位相ずれがグリッド線にも生じるので、誤診断の可能性は低いと考えられる。これに対して、最初からグリッド線がある記録紙に位相ずれがある心電波形が印字された場合（つまり図１Ｂのような場合）には、誤診断の可能性が高くなると考えられる。
【０００７】
因みに、プラテンローラーの回転軸に対してサーマルヘッドが斜めにずれると主に位相ずれが生じ、プラテンローラーの回転軸に対してサーマルヘッドが平行にずれると主に印字カスレが生じる。
【０００８】
図２は、この位相ずれを防止するための従来の構成例を示す。図２は、サーマルヘッド１とプラテンローラー２を上方から見た平面図であり、サーマルヘッド１とプラテンローラー２との間には記録紙３が挟持されている。記録紙３はプラテンローラー２の回転によって図の紙面手前側に紙送りされ、このときサーマルヘッド１によって感熱記録が行われる。この結果、記録紙３に心電図が印字される。
【０００９】
従来の心電計のレコーダーにおいては、一般に、図２に示したように、サーマルヘッド１の長手方向の両端付近に調整ネジ４ａ、４ｂが設けられており、この調整ネジ４ａ、４ｂを用いてサーマルヘッド１とプラテンローラー２との相対位置を調整できるようになっている。具体的には、調整ネジ４ａ、４ｂが左右に回されると、各調整ネジ４ａ、４ｂに対応するサーマルヘッド１の位置が紙面表側又は紙面裏側へと僅かに移動される。
【００１０】
図３は、サーマルヘッド１及びプラテンローラー２を水平方向から見た平面図である。図中の一点鎖線は正しい位置からずれたサーマルヘッド１の位置の例を示す。調整ネジ４ａ、４ｂを操作することによってサーマルヘッド１の両端の上下位置を調整することにより、サーマルヘッド１の位置を実線で示すような正しい位置に調整できる。
【００１１】
因みに、サーマルヘッド１が一点鎖線のようなずれた位置にあると、これに伴ってサーマルヘッド１による印字ラインも点線で示したように正しい位置からずれてしまい、その結果、上述の位相ずれや印字カスレが生じてしまう。なお、一点鎖線の位置はサーマルヘッド１がプラテンローラー２に対して斜めにずれた例を示しているが、サーマルヘッド１がプラテンローラー２に対して上下方向に平行にずれた場合には位相ずれは生じないが印字カスレが生じる。
【００１２】
調整ネジ４ａ、４ｂを用いたサーマルヘッド１の位置調整作業は、実際の印字結果を目視しながらサーマルヘッド１が正しい位置になるまで何度も繰り返して行う必要があり、煩雑である。
【００１３】
本発明は、以上の点を考慮してなされたものであり、サーマルヘッドの位置調整作業が不要なレコーダーを提供する。
【課題を解決するための手段】
【００１４】
本発明のレコーダーの一つの態様は、
サーマルヘッドと、
前記サーマルヘッドとの間に連続紙である記録紙を挟持して紙送りするプラテンローラーと、
前記プラテンローラーを案内し位置決めするプラテンローラー案内板と、
前記プラテンローラー案内板に形成された嵌合凸部又は嵌合凹部と、
前記サーマルヘッドに形成され、前記嵌合凸部又は嵌合凹部に嵌合する嵌合凹部又は嵌合凸部と、
を具備する。
【発明の効果】
【００１５】
本発明によれば、嵌合凸部と嵌合凹部との嵌合によりプラテンローラー案内板に対するサーマルヘッドの相対位置が精度良く決まるので、サーマルヘッドの位置調整作業が不要なレコーダーを実現できる。
【図面の簡単な説明】
【００１６】
【図１】図１Ａは正しい印字結果の例を示す図、図１Ｂは正しくない印字結果の例を示す図
【図２】調整ネジの説明に供する図
【図３】サーマルヘッドとプラテンローラーの相対位置の調整の説明に供する図
【図４】実施の形態に係る心電計の外観構成を示す斜視図
【図５】開閉ケースが開状態のときの心電計の斜視図
【図６】レコーダーの平面図
【図７】図６におけるＡ−Ａ’断面図
【図８】プラテンローラー案内板にプラテンローラーが案内された状態を示す斜視図
【図９】図８の側面図
【図１０】プラテンローラー案内板へのサーマルヘッドの取付構造の説明に供する斜視図
【発明を実施するための形態】
【００１７】
以下、本発明の実施の形態について、図面を参照して詳細に説明する。
【００１８】
＜心電計の全体構成＞
図４及び図５は本発明の実施の形態に係る心電計１０の外観構成を示す斜視図である。図６は、心電計１０のレコーダー１００を上方から見た平面図である。図７は、図６の心電計１０のレコーダー１００のＡ−Ａ’断面である。
【００１９】
図４に示すように、心電計１０は、大きく分けて、レコーダー１００と装置本体２００とから構成されている。
【００２０】
装置本体２００には、表示部２１０及び操作部２２０等が設けられている。また、装置本体２００の内部には、演算や動作制御を行う制御部や、増幅部、心電用電極等を接続するためのインターフェース部等が設けられている。表示部２１０には、計測結果である心電図等が表示される。操作部２２０には、各種のキーや、電源スイッチ、スタート／ストップスイッチ等が設けられている。なお、本実施の形態の心電計１０は、表示部２１０がタッチパネル構成とされており、表示部２１０に各種設定画面や動作メニュー画面を表示し、これを用いて各種設定や動作指示を入力することもできる。
【００２１】
＜レコーダーの構成＞
レコーダー１００は、開閉ケース１１０、サーマルヘッド１２０、プラテンローラー１３０、記録紙収容部１４０及びロール紙取付部１５０等を有する。
【００２２】
プラテンローラー１３０は、開閉ケース１１０の開端に取り付けられており、開閉ケース１１０が図４に示すような閉状態とされたときにサーマルヘッド１２０に当接し、図５に示すような開状態とされたときにサーマルヘッド１２０から離間する。
【００２３】
開閉ケース１１０は回転軸１１１（図７）によって回転自在に軸支されている。開閉ケース１１０は、ユーザーによって開ボタン１１２が押圧操作されるとロック解除状態となる。ユーザーはロック解除状態の開閉ケース１１０を手動にて回転させることにより、図５に示されているような開状態にすることができる。この開閉ケース１１０の開状態において、ユーザーは、記録紙収容部１４０に折畳紙やロール紙等である記録紙の出し入れを行うことができる。ロール紙はロール紙取付部１５０（図７）に取り付けた状態で記録紙収容部１４０に収容される。折畳紙は記録紙収容部１４０に載置された状態で収容される。
【００２４】
図７のように開閉ケース１１０が閉じた状態において、サーマルヘッド１２０とプラテンローラー１３０との間に下方向から記録紙（図示せず）が進入し、記録紙はプラテンローラー１３０の回転によって上方向に紙送りされ、これと同時にサーマルヘッド１２０によって感熱記録が行われる。このようにして、記録紙に心電図が記録される。
【００２５】
図８及び図９は、開閉ケース１１０が閉状態、換言すればレコーダー１００が印字状態にあるときの、サーマルヘッド１２０とプラテンローラー１３０との関係を示す図である。図８は斜視図であり、図９はプラテンローラー１３０の回転軸方向から見た平面図である。
【００２６】
サーマルヘッド１２０は、ウェハーに発熱抵抗体やドライバーＩＣ等が搭載されたサーマルヘッド本体４１０（図１０）と、ウェハーの背面側に取り付けられた放熱板４２０（図１０）と、を有する。放熱板４２０は例えばアルミ等の金属である。
【００２７】
図８から分かるように、サーマルヘッド１２０はプラテンローラー案内板１２１に固定ネジ１２２によって固定されている。サーマルヘッド１２０及びプラテンローラー案内板１２１は、プラテンローラー案内板１２１に形成された取付部１２４を介してレコーダー１００の本体シャーシに取り付けられる。
【００２８】
プラテンローラー案内板１２１の長手方向の両端には、プラテンローラー１３０を位置決めするガイド部１２３ａ、１２３ｂが形成されている。具体的には、ガイド部１２３ａ、１２３ｂは、プラテンローラー１３０の方向に突出するように折り曲げられた板であり、プラテンローラー１３０を載置することにより、プラテンローラー１３０を位置決めする。
【００２９】
プラテンローラー１３０は、図８から分かるように、ローラー本体１３１と、回転軸１３２と、位置決めローラー１３３ａ、１３３ｂと、歯車１３４と、を有する。ローラー本体１３１と、回転軸１３２と、歯車１３４と、は一体に回転する。回転軸１３２は、回転軸１３２に対して回転自在の位置決めローラー１３３ａ、１３３ｂによって支持されている。これにより、位置決めローラー１３３ａ、１３３ｂがガイド部１２３ａ、１２３ｂ上に載置されると、プラテンローラー１３０とサーマルヘッド１２０との相対位置が規定位置に位置決めされる。さらにこの状態において、歯車１３４が駆動部（図示せず）によって回転駆動されることにより、ローラー本体１３１が回転する。
【００３０】
図１０は、プラテンローラー案内板１２１へのサーマルヘッド１２０の取付構造の説明に供する斜視図である。
【００３１】
プラテンローラー案内板１２１には、嵌合凸部３０１ａ、３０１ｂが形成されている。また、プラテンローラー案内板１２１には、固定ネジ１２２を挿通させるための挿通孔３０２が形成されている。
【００３２】
一方、サーマルヘッド１２０の放熱板４２０には、嵌合凹部４２１ａ、４２１ｂが形成されている。また、放熱板４２０には、固定ネジ１２２が螺合するネジ穴４２２が形成されている。
【００３３】
プラテンローラー案内板１２１にサーマルヘッド１２０を取り付ける際には、先ず、嵌合凹部４２１ａ、４２１ｂと嵌合凸部３０１ａ、３０１ｂとを嵌合させる。ここで、嵌合凹部４２１ａ、４２１ｂと嵌合凸部３０１ａ、３０１ｂは、上下方向に隙間無く嵌合するように加工されている。
【００３４】
本実施の形態の場合、嵌合凸部３０１ａ、３０１ｂは平面円形形状である。一方、嵌合凹部４２１ａ、４２１ｂは、上下方向の幅が嵌合凸部３０１ａ、３０１ｂに等しく、かつ、左右方向の幅が嵌合凸部３０１ａ、３０１ｂよりも長い、平面横長形状である。
【００３５】
換言すれば、嵌合凸部３０１ａ、３０１ｂと嵌合凹部４２１ａ、４２１ｂは、嵌合させたときに、サーマルヘッド１２０の発熱体のライン方向に直交する方向の隙間が、ライン方向に平行な方向の隙間より小さくなるように形成されている。
【００３６】
これにより、プラテンローラー案内板１２１に対するサーマルヘッド１２０の上下方向（サーマルヘッド１２０の発熱体のライン方向に直交する方向）の相対位置は、嵌合凹部４２１ａ、４２１ｂと嵌合凸部３０１ａ、３０１ｂとの嵌合により規定位置に高精度で決まる。
【００３７】
次に、固定ネジ１２２によって、プラテンローラー案内板１２１とサーマルヘッド１２０とが固定される。
【００３８】
ここで、（ｉ）嵌合凸部３０１ａ、３０１ｂを、平面円形形状とし、（ｉｉ）嵌合凹部４２１ａ、４２１ｂを、上下方向の幅が嵌合凸部３０１ａ、３０１ｂに等しく、かつ、左右方向の幅が嵌合凸部３０１ａ、３０１ｂよりも長い、平面横長形状とした、理由について説明する。
【００３９】
放熱板４２０は温度変化が激しいので若干熱伸縮する可能性がある。これに対してプラテンローラー案内板１２１は放熱板４２０とは材質が異なるので放熱板４２０とは熱伸縮の度合いが異なる。これを考慮して、本実施の形態では、嵌合凹部４２１ａ、４２１ｂを横長とし、嵌合時に横方向に若干の隙間が生じるようにしたことにより、熱伸縮の差を吸収できるようになっている。
【００４０】
ここで、比較例として、嵌合凹部４２１ａ、４２１ｂ、嵌合凸部３０１ａ、３０１ｂを設けずに、固定ネジ１２２のみによって位置決め及び固定を実現する構成について検討する。
【００４１】
この場合、プラテンローラー案内板１２１に対するサーマルヘッド１２０の上下方向（サーマルヘッドの発熱体のライン方向に直交する方向）の取り付け位置の位置ずれを回避するためには、挿通孔３０２の直径を固定ネジ１２２の直径と同じにする必要がある。すると、熱によってプラテンローラー案内板１２１が伸縮し、固定ネジ１２２との間の伸縮差が生じた場合に、固定ネジ１２２に大きなストレスがかかるおそれがあり、固定ネジ１２２が劣化するおそれもある。また、固定ネジ１２２のみによって位置決め及び固定（締め付け）を実現する構成にすると、固定ネジ１２２の締め付けにより、サーマルヘッド１２０とプラテンローラー案内板１２１との相対位置が微小にずれる可能性がある。
【００４２】
本実施の形態では、位置合わせは嵌合凹部４２１ａ、４２１ｂと嵌合凸部３０１ａ、３０１ｂに委ね、固定（締め付け）は固定ネジ１２２に委ねた構成を採用しているので、高精度の位置決め及び強固な固定（締め付け）を両立できる。
【００４３】
また、固定ネジ１２２のみによって位置決めする構成と本実施の形態の構成とを比較すると、本実施の形態では、サーマルヘッド１２０とプラテンローラー案内板１２１とを重ね合わせて少しスライドさせれば嵌合凹部４２１ａ、４２１ｂと嵌合凸部３０１ａ、３０１ｂが嵌合するので容易に位置合わせできるのに対して、固定ネジ１２２のみによって位置決めする構成では、固定ネジ１２２と挿通孔３０２とネジ穴４２２の位置を合わせ込んで組み立てを行う必要があり、手間がかかる。よって、本実施の形態の構成によれば、組み立ても容易となる。
【００４４】
因みに、本実施の形態の構成では、プラテンローラー案内板１２１によってプラテンローラー案内板１２１とプラテンローラー１３０との相対位置が高精度に位置決めされ、さらにプラテンローラー案内板１２１にサーマルヘッド１２０が高精度に位置決めされて取り付けられている。この結果、プラテンローラー１３０とサーマルヘッド１２０との相対位置が高精度で位置決めされるので、サーマルヘッド１２０の位置調整作業が不要となる。
【００４５】
＜効果＞
以上説明したように、本実施の形態によれば、サーマルヘッド１２０と、サーマルヘッド１２０との間に連続紙である記録紙を挟持して紙送りするプラテンローラー１３０と、プラテンローラー１３０を案内し位置決めするプラテンローラー案内板１２１と、プラテンローラー案内板１２１に形成された嵌合凸部３０１ａ、３０１ｂと、サーマルヘッド１２０に形成され嵌合凸部３０１ａ、３０１ｂに対して上下方向に隙間無く嵌合する嵌合凹部４２１ａ、４２１ｂと、を設けたことにより、サーマルヘッド１２０の位置調整作業が不要なレコーダー１００を実現できる。
【００４６】
つまり、従来の構成では、プラテンローラー案内板に対するサーマルヘッドの取り付けにバラツキが生じてしまうので、図２に示したような調整ネジ４ａ、４ｂによりプラテンローラー案内板に対するサーマルヘッドの相対位置を調整する必要があるが、本実施の形態では、嵌合凹部４２１ａ、４２１ｂ及び嵌合凸部３０１ａ、３０１ｂによって精度の高い位置合わせを行うことができるので、調整ネジ４ａ、４ｂによる位置調整が不要となる。
【００４７】
本実施の形態の構成によれば、位相ずれが生じないので、レコーダー１００による印字前からあらかじめ印字面にグリッド線が印刷されている記録紙に対し、縦方向に同時点の複数の心電波形を印字する場合に特に有効である。
【００４８】
＜他の実施の形態＞
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【００４９】
上述の実施の形態では、プラテンローラー案内板１２１へのサーマルヘッド１２０の固定を固定ネジ１２２によって行う場合について述べたが、本発明はこれに限らず、固定ネジ１２２に代えて、粘着テープや接着剤によって行うようにしてもよい。
【００５０】
上述の実施の形態では、サーマルヘッド１２０に嵌合凹部４２１ａ、４２１ｂを形成するとともにプラテンローラー案内板１２１に嵌合凸部３０１ａ、３０１ｂを形成する場合について述べたが、本発明はこれに限らず、サーマルヘッド１２０に嵌合凸部を形成するとともにプラテンローラー案内板１２１に嵌合凹部を形成してもよい。
【００５１】
ただし、プラテンローラー案内板１２１は支持部材なので強度の高い材質が好ましく、一方サーマルヘッド１２０の放熱板４２０は放熱性が高くかつ形状加工性の良い材質が好ましい。実際上、放熱板４２０としてはアルミ等がよく用いられる。これを考慮すると、上述の実施の形態のように、強度の高いプラテンローラー案内板１２１に嵌合凸部３０１ａ、３０１ｂを形成した方が凸部の変形を低減できるといったメリットがある。要は、強度の高い方に嵌合凸部を形成し、強度の低い方に嵌合凹部を形成することが好ましい。
【００５２】
上述の実施の形態では、固定ネジ１２２によってプラテンローラー案内板１２１にサーマルヘッド１２０を締め付けて固定した場合について述べたが、本発明はこれに限らず、固定ネジ１２２以外の締結具を用いて締め付けや圧入、かしめなどによる固定を行うようにしてもよい。
【００５３】
上述の実施の形態では、本発明のレコーダーを、心電計に一体的に設けられたレコーダーに適用した場合について述べたが、これに限らず、サーマルヘッド、プラテンローラー及びプラテンローラー案内板を有するレコーダーに広く適用可能である。
【産業上の利用可能性】
【００５４】
本発明は、サーマルヘッド及びプラテンローラーを用いて折畳紙やロール紙等の連続紙に感熱記録を行うレコーダーに適用し得る。
【符号の説明】
【００５５】
１０  心電計
１００  レコーダー
１１０  開閉ケース
１１１、１３２  回転軸
１１２  開ボタン
１２０  サーマルヘッド
１２１  プラテンローラー案内板
１２２  固定ネジ
１２３ａ、１２３ｂ  ガイド部
１２４  取付部
１３０  プラテンローラー
１３１  ローラー本体
１３３ａ、１３３ｂ  位置決めローラー
１３４  歯車
１４０  記録紙収容部
１５０  ロール紙取付部
２００  装置本体
２１０  表示部
２２０  操作部
３０１ａ、３０１ｂ  嵌合凸部
３０２  挿通孔
４１０  サーマルヘッド本体
４２０  放熱板
４２１ａ、４２１ｂ  嵌合凹部
４２２  ネジ穴
【図１】
2020075460.tif 000003
【図２】
2020075460.tif 000004
【図３】
2020075460.tif 000005
【図４】
2020075460.tif 000006
【図５】
2020075460.tif 000007
【図６】
2020075460.tif 000008
【図７】
2020075460.tif 000009
【図８】
2020075460.tif 000010
【図９】
2020075460.tif 000011
【図１０】
2020075460.tif 000012